(57)【特許請求の範囲】
【請求項１】
壁面（Ｗ）の表層部を構成する可撓性部材（Ｓ）に、水平方向軸（Ｘ）とその水平方向軸に直交する垂直軸（Ｙ）に対し線対称な略十字形状に主部材（１０Ａ）を形成し、該主部材（１０Ａ）の垂直方向上方の領域（１４Ｔ）及び垂直方向下方の領域（１４Ｂ）のそれぞれ端部（１２Ｔ、１２Ｂ）近傍に係止手段（２１Ｔ、２１Ｂ）を設け、垂直方向上方の領域（１４Ｔ）の上端部分（１２Ｔ）を残してそれより下方部分を略十字形状に切り抜き、垂直方向下方の領域（１４Ｂ）を前記水平方向軸（Ｘ）に沿って湾曲させ、その垂直方向下方領域（１４Ｂ）を垂直方向上方の領域（１４Ｔ）に前記係止手段（２１Ｔ、２１Ｂ）で係合させ、湾曲させた部分（１３Ａ）に衣類を係止して保持する様に構成されていることを特徴とする衣類の係止装置。
【発明の詳細な説明】
【技術分野】
【０００１】
本発明は、衣類、特に上着を係止するのに用いられるハンガー等の衣類係止装置に関する。
【背景技術】
【０００２】
衣類係止装置としてはハンガーが一般的であり、かかるハンガーの改良技術として、従来から種々提案が為されている。
【０００３】
その１例として、片手が不自由であっても、残る片手で容易に開閉可能なアーム開閉式ハンガーが開示されている（例えば特許文献１参照）。
また、中央部から長手方向へ移動する可動アームを有する調節可能な衣類ハンガーも開示されている（例えば特許文献２参照）。
【０００４】
しかし、上記した従来技術に係るハンガーは、構成部品点数が多く、その分だけ製造コストが高くなってしまう。
また、上記した従来技術に係るハンガーは、それ自体の厚み寸法が無視出来ない程度に存在するため、同一ハンガーを複数梱包し、運搬する場合等には、嵩張ってしまうという問題を有している。
さらに、上記した従来技術に係るハンガーは、材質が異なる構成要素を具備しているため、廃棄した後、再利用を行うに際しては、材質が異なる部品毎に分別する工程が必須となり、その分だけ労力やコストが増加してしまうという問題点がある。
【０００５】
そして、上記した従来技術に係るハンガーは構造が複雑であるのに加えて、美的な外観を有しているとは言い難い場合があり、係止される対象である衣服のファッション性や当該衣服を陳列する店舗内の内装（インテリア）における美観を損なう可能性が有る。
特に、ファッション性が事業展開における主たるコンセプトとなる婦人服専門店では、従来技術に係るハンガーの使用が躊躇されてしまう恐れがある。
【特許文献１】特開２００１−２８６３８２号公報
【特許文献２】特開２００２−１４２９５４号公報
【発明の開示】
【発明が解決しようとする課題】
【０００６】
本発明は上述した従来技術の問題点に鑑みて提案されたものであり、製造（組立、形成）が容易であり、生産性も高く、コンパクトで軽量で、梱包及び運搬に便利であり、しかもリサイクルに際しては分別を容易に行うことができる様な衣類係止用装置の提供を目的としている。
【０００７】
また、本発明は、係止されるべき衣類のファッション性を損なうことが無く、衣類を係止するべき空間の内装（インテリア）における美観を向上することが出来る様な衣類係止装置の提供を目的としている。
【課題を解決するための手段】
【０００８】
本発明の衣類係止装置は、壁面（Ｗ）の表層部を構成する可撓性部材（Ｓ）に、水平方向軸（Ｘ）とその水平方向軸に直交する垂直軸（Ｙ）に対し線対称な略十字形状に主部材（１０Ａ）を形成し、該主部材（１０Ａ）の垂直方向上方の領域（１４Ｔ）及び垂直方向下方の領域（１４Ｂ）のそれぞれ端部（１２Ｔ、１２Ｂ）近傍に係止手段（２１Ｔ、２１Ｂ）を設け、垂直方向上方の領域（１４Ｔ）の上端部分（１２Ｔ）を残してそれより下方部分を略十字形状に切り抜き、垂直方向下方の領域（１４Ｂ）を前記水平方向軸（Ｘ）に沿って湾曲させ、その垂直方向下方領域（１４Ｂ）を垂直方向上方の領域（１４Ｔ）に前記係止手段（２１Ｔ、２１Ｂ）で係合させ、湾曲させた部分（１３Ａ）に衣類を係止して保持する様に構成されている。
【発明の効果】
【０００９】
かかる構成を具備する本発明の衣類係止装置によれば、水平方向軸（Ｘ）を対称軸とする線対称な形状に切断してあるが、垂直方向上方の領域（１４Ｔ）は切断されていないので、衣類を係止しない場合には、切断されている領域は壁面（Ｗ）の表層部を構成している状態を維持する。
【００１０】
すなわち、衣類を係止していない状態では、かかる衣類係止装置は壁面（Ｗ）の表層部（例えばカーペット）と同化しており、「衣類を係止していない状態のハンガー」ではなく、内装（インテリア）の一部と把握されることになる。
【００１１】
そして、衣類を係止する際には、垂直方向下方の領域（１４Ｂ）を前記水平方向軸（Ｘ）に沿って湾曲させ、当該湾曲させた部分（１３）及び残存させた部分（垂直方向上方の領域１４Ｔ）で衣類を係止可能にせしめている。
【００１２】
この様に、上述した衣類係止装置は、衣類を係止するという本来の役割に加えて、内装材としても機能するのである。
【００１３】
これに加えて、本発明の衣類係止装置によれば、構成要素の大部分が、可撓性を有する板状部材であるため、リサイクルに際しては殆ど分別する必要が無い。
従って、環境問題意識が向上した今日の状況に良く合致している。
【発明を実施するための最良の形態】
【００１４】
以下、添付図面を参照して、本発明の実施形態について説明する。
先ず、図１及び図２の第１の参考例について説明する。
【００１５】
図１は、第１の参考例の衣類用ハンガー１の未使用時の状態を示している。当該衣類用ハンガー１は、縦軸ＹとそのＹ軸に直交する横軸Ｘに対して線対称である。
当該衣類用ハンガー１は、可撓性を有する、例えば樹脂製の板状主部材１０と、一対の、例えば金属性フックボタン２１Ｔ、２１Ｂとによって構成されている。
【００１６】
前記板状主部材１０は、当該衣類用ハンガー１が未使用時には、横軸Ｘ上の左右両端部１１Ｌ、１１Ｒに円弧が形成され、横方向の中央に近づくにつれて外縁が太くなる横軸部１１（湾曲部１３）と、縦軸Ｙ上の上下両端部１２Ｔ、１２Ｂに円弧が形成され、縦方向の中央に近づくにつれて外縁が太くなる縦軸部１２とを有している。
そしてその横軸部１１と縦軸部１２とは交差するように連続して、いわゆる「クロス（十字架）」状（十字形）に形成されている。
【００１７】
縦軸Ｙの上端部（１２Ｔ）近傍には、第１のフックボタン２１Ｔが、また、縦軸Ｙの下端（１２Ｂ）近傍には前記第１のフックボタン２１Ｔに係合する第２のフックボタン２１Ｂが取付けてある。
【００１８】
ハンガーとして使用するに際して、図１における矢印Ａ１で示すように、横軸Ｘ（図１を参照）に沿って丸めるように湾曲させて折り返し（Ｘ軸を中心に湾曲させ）、前記第１のフックボタン２１Ｔ及び第２のフックボタン２１Ｂ同士を押圧し、係合させる（図２参照）。
【００１９】
図２で示す様に、第１のフックボタン２１Ｔ及び第２のフックボタン２１Ｂ同士を係合してハンガーとして使用するため、壁等に当該ハンガー１を掛ける場合には、板状主部材１０の上下端部１２Ｔ、１２Ｂを折り返して重ね合わせる際に、予め輪状に結んだ、例えば紐状部材３０で前記フックボタン２１Ｔ、２１Ｂを包囲するように挟み込んでおく。そして、挟み込んだ紐状部材３０を壁に立設した吊り下げ用棒状部材４０に引っ掛けて使用する。
【００２０】
上述した第１の参考例によれば、例えばプラスティックの板状部材を主要部材（板状主部材）１０として、その板状主部材１０を中央の横軸Ｘで折り返し、一対の金属性のフックボタン２１Ｔ、２１Ｂで係合するように構成されており、厚みが極めて薄い。加えて未使用時には、裁断時の形状に展開されるので、多数枚に重ねても嵩張らなく、梱包、運搬に便利である。
【００２１】
板状主部材１０、１０Ａは、複数枚の素形材（可撓性を有する樹脂製）Ｓを重ねた状態で型刃によって裁断（トリムカット）出来るので、生産性はきわめて高い。
【００２２】
板状主部材１０、１０Ａの加工工程は、可撓性を有する樹脂製素材Ｓを裁断するのみであるあるため、展開形状として自由な曲線を選ぶことが出来、インテリアとしての機能も高い。従って、衣類を係止するための装置（ハンガー）及び内装材としても適用可能である。
【００２３】
一対のフックボタン２１Ｔ、２１Ｂによって係合手段が構成されているので、上下の中央で折り返しフックボタン２１Ｔ、２１Ｂを互いに押込むことで容易にハンガー状に係合できる。
【００２４】
図３、図４は、第２の参考例を示している。
図１、図２では、１対のフックボタン２１Ｔ、２１Ｂ同士（前記第１のフックボタン２１Ｔと第１のフックボタン２１Ｂ）を押圧し、係合させている。これに対して、図３、図４の第２の参考例では、２対のフックボタン２１Ｔ、２１Ｂ、２１Ｔ２、２１Ｂ２を設けている。
【００２５】
使用に際しては、フックボタン２１Ｂと２１Ｔとを係合すれば、図１、図２で示すのと同様に、Ｘ軸で折り返す（Ｘ軸を中心に湾曲させる）こととなる。
一方、フックボタン２１Ｂ２と２１Ｔ２とを係合する様に折り曲げる（或いは湾曲させる）と、図３の矢印Ａ２で示す様に、Ｙ軸を中心に湾曲させることとなる。
【００２６】
すなわち、図３、図４の第２の参考例では、ハンガーとして使用するに際して湾曲の中心となる軸が２本存在するのである。この点で、ハンガーとして使用する際には、１本の軸（Ｘ軸）のみを中心に湾曲する図１、図２の参考例とは相違している。
【００２７】
図３において、Ｘ軸はＹ軸よりも長い。図２と図４とを比較すれば明らかな様に、図２で示す様にＸ軸を中心に折り曲げたハンガーの方が、図４で示す様にＹ軸を中心に折り曲げた状態のハンガーよりも、衣類を係止する部分の寸法、すなわち、衣類の肩幅に相当する寸法が長くなる。
【００２８】
従って、図３、図４の第２の参考例に係るハンガーであれば、肩幅が大きい男性用衣類を係止する際にはＸ軸を中心に折り曲げ、肩幅が狭い女性用衣類を係止する際にはＹ軸を中心に折り曲げる、というように使い分けをする事が出来る。
【００２９】
換言すれば、図３、図４の参考例に係るハンガーであれば、複数の肩幅寸法の衣類に使用することが出来るのである。
その他の構成及び作用効果については、図３、図４の第２の参考例は、図１、図２の第１の参考例と同様である。
【００３０】
次に図５〜図８を参照して、第３の参考例を説明する。ここで、図５〜図８において、衣類用ハンガーは符号１Ｂで示されている。
【００３１】
図５〜図８の第３の参考例では、板状主部材１０Ｂの展開状態から横軸Ｘに沿ってハンガー状に折り曲げ湾曲させた際に、縦軸部１２の上端部１２Ｔと下端部１２Ｂとを係合するための手段を設けた点と、横軸１１の両端部１１Ｌ、１１Ｒ近傍にデザイン用抜き孔Ｏを設けた点で、図１〜図４の参考例とは相違している。
【００３２】
縦軸部１２の上下端部１２Ｔ、１２Ｂを係合する手段は、以下のように構成されている。すなわち、上端部１２Ｔ近傍であって、図示においては上方の箇所に、半円弧の切り込み（スリット）１６Ｔが形成されている。一方、下端部１２Ｂ近傍であって、図５では上方の箇所にも、半円弧の切り込み（スリット）１６Ｂが形成されている。
【００３３】
前記２箇所の半円弧のスリット１６Ｔ、１６Ｂの円弧の略中心位置には、ハンガー１Ｂを図示しない吊掛け棒状体に吊り掛けるための孔１８が形成されている。
【００３４】
縦軸部１２の上下端部１２Ｔ、１２Ｂを係合するに際しては、横軸Ｘよりも下側部分１４Ｂを横軸Ｘを中心に、矢印Ａ（図５）で示す様に、手前側（上側部分１４Ｔの方向）に折り曲げ湾曲させる。そして、図７及び図８に示すように、下向に凸になった前記下端部１２Ｂ側のスリット１６Ｂに、上端部１２Ｔ側のスリット１６Ｔとそのスリット１６Ｔの両端を結ぶ直線によって囲まれた舌状部分１７Ｔを差し込むことによって、上端部１２Ｔと下端部１２Ｂとが係合する。
【００３５】
図６は、下側部分１４を横軸Ｘ（図５参照）を中心にして折り返し、ハンガー１Ｂとして使用するために、上端部１２Ｔと下端部１２Ｂとを係合手段である前記スリット１６Ｔ、１６Ｂの内側で形成される舌状部１７Ｔ、１７Ｂを差込み、噛み合わせることによって係合が成立した状態を示している。
その他の構成及び作用効果については、図５〜図８の第３の参考例は、上述した実施形態と同様である。
【００３６】
次に図９〜図１１を参照して、第４の参考例について説明する。
図９及び図１０で示す第４の参考例に係る衣類用ハンガー１Ｃ（板状主部材としては符号１０Ｃで示す）は、図５〜図８の第３の参考例に対して、壁等への吊掛け手段とデザイン用抜き孔の形状が異なる。図５〜図８の第３の参考例と異なる部分について、以下に説明する。
【００３７】
図９及び図１０で示す第４の参考例に係る衣類用ハンガー１Ｃにおいては、図５〜図８の第３の参考例における２箇所の半円弧のスリット１６Ｔ、１６Ｂの略中心位置に形成された吊り掛け用の孔１８は省略され、その代わり、図９に示すように、第４実施形態における板状主部材１０Ｃの上端部１２Ｔの図面裏側には、植毛のいわゆる「ベルクロテープ」１９が貼り付けられている。
【００３８】
尚、上端部１２Ｔと下端部１２Ｂとを係合する係合用スリット１６Ｔ、１６Ｂは残されている。
また、横軸部１１の左右両端１１Ｌ、１１Ｒ近傍には馬蹄状の抜き孔２０が馬蹄の先方を横軸部１１の外方に向けるように形成されている。
【００３９】
板状主部材１０Ｃをハンガー状に湾曲せしめて使用する際、前記馬蹄形の抜き孔２０の後端部２０ａには、図１１で示すように、衣類における紐状の部分（例えば女性用衣類であるキャミソールＫのストラップＫｓ等）を引っ掛けることが出来る。
【００４０】
図９及び図１０に係る第４の参考例では、壁等への吊掛け手段としてベルクロテープ１９が用いられているため、図１１に示すように、壁材Ｗは毛足の長いファブリックであり、ハンガー１Ｃに掛ける衣類としては比較的重さの小さな例えば下着類等（図１１参照）の場合に適する。
【００４１】
上述したような構成の第４の参考例によれば、吊り下げる衣類の重さが小さい場合は、ハンガー１Ｃを壁等に吊り掛ける手段として、ベルクロテープ１９を、例えば毛足の長いファブリックの壁に押し付けるだけでハンガー１Ｃを吊り下げることが出来る。
第４の参考例におけるその他の構成及び作用効果については、第３の参考例と同様である。
【００４２】
次に図１２及び図１３を参照して、第５の参考例を説明する。
図１２、図１３の第５の参考例に係る衣類用ハンガー１Ｄ（板状主部材としては符号１０Ｄで示す）は、その外形（輪郭）については、図１〜図１１の各実施例と概略同様である。
【００４３】
図１２において、第５の参考例に係る衣類用ハンガーの板状主部材１０Ｄにおける横軸部１１には、横軸Ｘを跨いで上下２条の溝状の抜き孔２２、２２が略全長に亙って形成されている。
【００４４】
縦軸部１２の上下両端１２Ｔ、１２Ｂの近傍で縦軸Ｙ上には２箇所に吊り掛け用孔１８、１８が形成されている。そしてその吊り掛け用孔１８、１８には図示の例では孔１８の真横に、上端、下端では互いに「斜交」となる位置に、縦軸部１２の外縁１２Ｒと孔１８とを接続する直線の切り込み（スリット）２３Ｔ（上端側）、２３Ｂ（下端側）が形成されている。
【００４５】
縦軸部１２の上下端部１２Ｔ、１２Ｂを係合するに際しては、図１２の矢印Ａで示す様に折り曲げた際に、前記上端部１２Ｔ側のスリット２３Ｔと、前記下端部１２Ｂ側のスリット２３Ｂとを、互いに噛み合わせるように差し込む。これにより、上端部１２Ｔと下端部１２Ｂとが係合する。
【００４６】
前記２条の溝状の抜き孔２２、２２は、当該抜き孔２２、２２に図示しないスカートや、マフラー等を通して吊り下げることに適している。
その他の構成及び作用効果については、図１２及び図１３の第５の参考例は、図１〜図１１の各参考例と同様である。
【００４７】
次に図１４及び図１５を参照して、第６の参考例を説明する。
【００４８】
図１４及び図１５の第６の参考例に係る衣類用ハンガー符号１Ｅ（板状主部材としては符号１０Ｅで示す）は、図１４に示すように、縦軸部１２に縦軸Ｙを跨いで左右２条の溝状の抜き孔２４、２４が上下方向の略全長に亙って形成されている。
また、板状主部材１０Ｅの横軸部１１の少なくとも上下何れか一方の外縁には円弧状の切欠き部２５、２５が形成されている。
【００４９】
図１４において矢印Ａで示すように折り曲げてハンガー１Ｅとして使用する場合は、前記２条の抜き孔２４、２４の間の桟状部２６には、該桟状部２６の折り曲げられた中央部２６ａに、例えば、ベルト６０等を通して使用することが出来る。
第６の参考例に関するその他の作用効果は、上述した各参考例と実質的に同様である。
【００５０】
以下、図１６〜図１８を参照して、本発明の第１実施形態を説明する。
図１〜図１５の各参考例は、それ自体が独立した衣類係止用のハンガーとして概略十字形の板状主部材で構成されている。それに対して、図１６〜図１８の実施形態は、壁面の表層部を構成する可撓性部材（例えばカーペット等）の一部を衣類係止用のハンガーとして使用可能に構成した点で、明確に相違している。
【００５１】
そして図１６〜図１８の第１実施形態は、壁面の表層部を構成する可撓性部材（カーペット等）の一部から構成されているため、単に衣類を係止する手段というのみならず、室内インテリア用品としての性格も併せ持っている。
【００５２】
図１６〜図１８において、室内の１壁面（内壁の１面）Ｗと、第１実施形態に係る衣類係止用のハンガーを構成する可撓性部材Ｓとは、別体の様に図示されており、壁面Ｗの１区画のみが可撓性部材Ｓで被覆されているかのように表現されている。
しかし、これは、単に図面に壁面Ｗと可撓性部材Ｓとを明確に表示するための便宜的な表現である。
【００５３】
実際には、可撓性部材Ｓは壁面Ｗの室内側表面全体を被覆しており、壁面Ｗの表層部を構成している。換言すれば、図１６〜図１８で壁面Ｗの１領域のみを被覆しているかの様に表示されている可撓性部材Ｓは、室内の１壁面Ｗ全面を被覆しており、当該壁面Ｗの表層部を構成しているカーペットその他なのである。
【００５４】
可撓性部材Ｓにおいて、少なくとも衣類用ハンガー１Ａの板状主部材１０Ａを構成する部分は、図１６〜図１８では明確に示していないが、表面側と裏面側でデザインの異なる不織布を用い、その表裏の不織布の間に可撓性の例えば樹脂製板材を挟み込むように積層した、積層材を用いることが可能である。
【００５５】
図１６において、室内の１壁面Ｗ全体を被覆して、当該壁面Ｗの表層部を構成する可撓性部材Ｓには、図１で示す板状主部材１０Ａに相当する形状の部分（図１６、図１７の実施形態においても、板状主部材として表現し、符号１０Ａで示す）は、その上端部分を残して、素材Ｓから殆ど切り抜かれた状態となっている。そして、板状主部材１０Ａは、その上端部１２Ｔのみで可撓性部材Ｓに繋がっている。
【００５６】
図１６において、板状主部材１０Ａを除く残存部分（或いは、残りの部分）が符号Ｂで示されており、換言すれば、図１６では、残存部分Ｂに板状主部材１０Ａを嵌め込んだままの（残存部分Ｂから板状主部材１０Ａを抜き出さない）状態が示されている。
【００５７】
図１７は、図１６の横軸Ｘに対して、Ｘ軸の下側部分１４Ｂを折り曲げ、持ち上げて、横軸Ｘを中心として湾曲せしめ、フックボタン２１Ｔと２１Ｂを係合させ、ハンガー形状に形成し、以て、衣類係止用ハンガー１Ａを構成した状態である。
折り曲げ、持ち上げられた下側部分１４Ｂの抜き痕１５からは、壁Ｗが見える。
尚、図４において符号１１Ａは横軸部を、１３Ａは横軸部１１Ａの湾曲部を示す。
【００５８】
図１８は、図１７の状態にある衣類ハンガー１Ａの横軸部１１Ａの湾曲部１３Ａにジャケット５を係止した状態を示している。図１８中、衣類ハンガー１Ａの中央下部にはジャケット５の裏地５ａが見えている。
【００５９】
かかる構成を具備する本発明の第１実施形態によれば、第１の参考例〜第６の参考例と同様に、１壁面Ｗの表層部を形成するカーペットの様な可撓性部材ＳのＸ軸の下側部分１４Ｂを折り曲げ、持ち上げて、横軸Ｘを中心として湾曲せしめることにより、可撓性部材Ｓの一部を衣類係止用のハンガーとして機能させることが出来る。
【００６０】
ここで、可撓性部材Ｓは横軸Ｘを対称軸とする線対称な形状に切断してあるが、垂直方向上方の領域１４Ｔは切断されていないので、衣類を係止しない場合には、切断されている領域は壁面Ｗの表層部を構成している状態を維持する。
すなわち第１実施形態によれば、衣類を係止していない状態では、衣類係止用のハンガー１Ａは可撓性部材Ｓ（例えばカーペット）と同化しており、肉眼においては、「衣類を係止していない状態のハンガー」ではなく、「内装（インテリア）の一部を構成する例えばカーペットの様な可撓性部材Ｓ」と把握されることになる。
【００６１】
この様に、第１実施形態に係る衣類係止用のハンガーは、衣類を係止するという本来の役割に加えて、内装材としても機能するのである。
なお、ハンガー１Ａとしての形状を保持している場合であっても、図１７で示す様に抜き痕１５から壁Ｗが見えること自体が、インテリア装飾的な効果を奏する場合もあり得る。
【００６２】
次に図１９を参照して、本発明の第２実施形態について説明する。
この第２実施形態は、第１実施形態と概略同様であるが、第２実施形態において、図１７で示す様に、ハンガー（符号１Ｇで示す）として使用する際に、その背面にスペーサ６１を挿入している。
【００６３】
かかるスペーサを採用することで、例えば女性用衣類を展示する際に、胸部に相当する部分に立体感を持たせる様に展示することが可能となるのである。
第２実施形態のその他の構成及び作用効果については、第１実施形態と同様である。
【００６４】
次に図２０〜図２２を参照して、本発明の第３実施形態を説明する。
この第３実施形態は、第１の参考例〜第６の参考例と同様に、線対称の板状主部材を対称軸を中心として折り曲げて、衣類係止用ハンガーを構成するタイプの実施形態である。
【００６５】
図２０は、ハンガーとして使用されていない場合における板状主部材１０Ｆを示している。
【００６６】
縦軸Ｙ上の上下の中央部で横軸Ｘを跨いで人間の臀部を模った部分円弧部３１Ｔ、３１Ｂが形成され、その部分円弧部３１Ｔ、３１Ｂに連続して人間の腰部である括れ部３２Ｔ、３２Ｂが形成され、その括れ部３２Ｔ、３２Ｂに連続して人間の胸部である部分円弧部３３Ｔ、３３Ｂが形成され、その部分円弧部３３Ｔ、３３Ｂに連続して首部３４Ｔ、３４Ｂが形成されている。
また、前記首部３４Ｔ、３４Ｂには、吊り掛け用孔１８、１８と、スリット２３Ｔ、２３Ｂとが形成されている。
【００６７】
ここで、各部の数字符号（３１〜３４）の後の符号Ｔは、横軸Ｘの上方側を、符号Ｂは、横軸の下側を示す。
横軸Ｘの上方側の胸部である部分円弧部３３Ｔの近傍には、例えば、女性の胸部を側方から視たのと類似する輪郭が、互いにその先端が向き合う様な切り込み（スリット）４１、４１として形成されている。その切り込み４１、４１を切り込み４１、４１の上下端部を結ぶ直線４１ａで折り曲げ、紙面に対して直角に胸部形状の切り込み４１、４１を起こした状態が図２２に示してある。
尚、図２１は図２０の横軸Ｘに沿って上下を折り曲げて、ハンガー１Ｆとして使用できる状態に形成されたものである。
【００６８】
図２２は、図２１を側方から見た図であり、図２１及び図２２における符号５１は、例えば女性用水着の胸部分を、符号５２は同じく女性用水着の腰部分を示す。
このように、切り込み４１、４１によって一部を起こして立体的にハンガーを演出することにより、特に女性用衣類においては、女性の体型に合致した展示を行うことが出来る。
【００６９】
その結果、第３実施形態に係るハンガーに衣類を係止すれば、かかる衣類（図２０〜図２２では女性用水着を示す）を購買者である女性が見ることにより、ハンガーに係止された状態から着用時の状況を想起することが出来るので、購買意欲を喚起する効果が期待される。
【００７０】
それとともに、いわゆる「マネキン人形」と同様に、店内のインテリアをも兼ねることが出来る。
第３実施形態におけるその他の構成及び作用効果については、第１実施形態と概略同様である。
【００７１】
図示の実施形態はあくまでも例示であり、本発明の技術的範囲を限定する趣旨の記述ではない。
例えば、図１〜図４における係合手段であるフックボタン２１Ｔ、２１Ｂを、図５〜図８の係合手段である切り込み（スリット）１６Ｔ、１６Ｂと置き換えても良い。
【００７２】
また、図１４、図１５の第６の参考例において、切欠き２５は上方側のみに形成されているが上下双方の合計４箇所に形成しても良い。
【図面の簡単な説明】
【００７３】
【図１】本発明に係る第１の参考例おけるハンガーの展開状態図。
【図２】本発明に係る第１の参考例におけるハンガーの使用時の形状を立体的に表した斜視図。
【図３】本発明に係る第２の参考例におけるハンガーの展開状態図。
【図４】本発明に係る第２実の参考例におけるハンガーの使用時の形状を立体的に表した斜視図。
【図５】本発明に係る第３の参考例におけるハンガーの展開状態図。
【図６】本発明に係る第３の参考例におけるハンガーの使用時の形状を表した図。
【図７】本発明に係る第３の参考例において、係合手段を係合させる様子を示した部分立体図。
【図８】本発明に係る第３の参考例において、係合手段を係合させる様子を示した側面図。
【図９】本発明に係る第４の参考例におけるハンガーの展開状態図。
【図１０】本発明に係る第４の参考例におけるハンガーの使用時の形状を表した正面図。
【図１１】本発明に係る第４の参考例におけるハンガーの使用時の形状を表した側面図。
【図１２】本発明に係る第５の参考例におけるハンガーの展開状態図。
【図１３】本発明に係る第５の参考例におけるハンガーの使用時の形状を表した立体図。
【図１４】本発明に係る第６の参考例におけるハンガーの展開状態図。
【図１５】本発明に係る第６の参考例におけるハンガーの使用時の形状を表した立体図。
【図１６】本発明の第１実施形態において、ハンガーとして使用していない状態の正面図。
【図１７】本発明の第１実施形態において、ハンガーとして使用する際の状態図。
【図１８】本発明の第１実施形態において、ハンガーとして実際にコートを掛けた状態図。
【図１９】本発明の第２実施形態において、ハンガーとして使用している状態の側面図。
【図２０】本発明の第３実施形態において、ハンガーとして使用していない状態の正面図。
【図２１】本発明の第３の実施形態において、ハンガーとして使用する際の状態図。
【図２２】本発明の第３の実施形態において、ハンガーの使用時の形状を表した側面図。
【符号の説明】
【００７４】
１０Ａ‥‥主部材
１２Ｔ‥‥上端部分
１２Ｂ‥‥下端部分
１３Ａ‥‥湾曲させた部分
１４Ｂ‥‥垂直方向下方の領域
１４Ｔ‥‥垂直方向上方の領域
２１Ｔ、２１Ｂ‥‥係止手段
Ｓ‥‥可撓性部材
Ｗ‥‥壁面
Ｘ‥‥水平方向軸
Ｙ‥‥垂直軸
【図１】
0004505599.tif 000002
【図２】
0004505599.tif 000003
【図３】
0004505599.tif 000004
【図４】
0004505599.tif 000005
【図５】
0004505599.tif 000006
【図６】
0004505599.tif 000007
【図７】
0004505599.tif 000008
【図８】
0004505599.tif 000009
【図９】
0004505599.tif 000010
【図１０】
0004505599.tif 000011
【図１１】
0004505599.tif 000012
【図１２】
0004505599.tif 000013
【図１３】
0004505599.tif 000014
【図１４】
0004505599.tif 000015
【図１５】
0004505599.tif 000016
【図１６】
0004505599.tif 000017
【図１７】
0004505599.tif 000018
【図１８】
0004505599.tif 000019
【図１９】
0004505599.tif 000020
【図２０】
0004505599.tif 000021
【図２１】
0004505599.tif 000022
【図２２】
0004505599.tif 000023